(57)【要約】【課題】作業効率を改善すると共に、選択ミスをなくす。【解決手段】多種類の時系列の入出力データのうちＳＰＡ，ＳＰＢ，ＰＶＡ，ＰＶＢを画面Ｇ１に表示する。この画面Ｇ１に表示されている時系列の入出力データに対して、除外区間Ｘ１を指定する。すると、この除外区間Ｘ１として指定された区間がデータの挙動が認識できる程度に、色や明るさを変えて表示される。また、これと同時に、画面Ｇ１に表示されていない残りの時系列の入出力データの除外区間Ｘ１に対応する区間も除外区間とされ、画面Ｇ１で指定された除外区間と同じ態様での表示が適用される。残りの時系列の入出力データについては、同じ態様での表示が適用された区間のデータの挙動をみて、除外区間とするか否かを判断する。【選択図】  図４
2016152005.tif 000002
【特許請求の範囲】
【請求項１】
多種類の時系列の入出力データに対して有効なデータとして利用する区間をデータ採用区間として指定するデータ採用区間指定方法において、
前記多種類の時系列の入出力データのうち１種類以上の時系列の入出力データを時間軸を合わせて第１の画面上に並べてグラフ表示するステップと、
前記第１の画面上にグラフ表示されている時系列の入出力データに対して、有効なデータとしては利用しない区間を除外区間として指定するステップと、
前記第１の画面上にグラフ表示されている時系列の入出力データの前記除外区間として指定された区間を、他の区間とは異なった態様でかつその区間内のデータの挙動を認識可能に表示すると同時に、前記第１の画面上にグラフ表示されていない残りの種類の時系列の入出力データの前記除外区間に対応する区間も除外区間とし、その区間に対して前記第１の画面上にグラフ表示されている時系列の入出力データに対して指定された除外区間と同じ態様での表示を適用するステップと、
前記第１の画面上にグラフ表示されていない残りの種類の時系列の入出力データのうち、１種類以上の時系列の入出力データを時間軸を合わせて第２の画面上にグラフ表示するステップと、
前記多種類の時系列の入出力データのうち前記除外区間を除く区間の入出力データを前記データ採用区間の入出力データとするステップと
を備えることを特徴とするデータ採用区間指定方法。
【請求項２】
請求項１に記載されたデータ採用区間指定方法において、
前記第２の画面上にグラフ表示されている時系列の入出力データの前記除外区間内の任意の区間を部分取消区間として指定するステップと、
前記第２の画面上にグラフ表示されている時系列の入出力データの前記部分取消区間として指定された区間について除外区間の指定を解除して元の態様での表示に戻すと同時に、前記第２の画面上にグラフ表示されていない残りの種類の時系列の入出力データの前記部分取消区間に対応する区間も除外区間の指定を解除し、その区間に対して元の態様での表示を適用するステップと、
を備えることを特徴とするデータ採用区間指定方法。
【請求項３】
多種類の時系列の入出力データに対して有効なデータとして利用する区間をデータ採用区間として指定するデータ採用区間指定装置において、
前記多種類の時系列の入出力データを記憶するデータ記憶部と、
前記データ記憶部に記憶されている多種類の時系列の入出力データのうち１種類以上の時系列の入出力データを時間軸を合わせて第１の画面上にグラフ表示する第１の画面処理部と、
前記第１の画面上にグラフ表示されている時系列の入出力データに対して、有効なデータとしては利用しない区間を除外区間として指定する除外区間指定部と、
前記第１の画面上にグラフ表示されている時系列の入出力データの前記除外区間として指定された区間を、他の区間とは異なった態様でかつその区間内のデータの挙動を認識可能に表示させると同時に、前記第１の画面上にグラフ表示されていない残りの種類の時系列の入出力データの前記除外区間に対応する区間も除外区間とし、その区間に対して前記第１の画面上にグラフ表示されている時系列の入出力データに対して指定された除外区間と同じ態様での表示を適用させる除外区間表示態様適用部と、
前記第１の画面上にグラフ表示されていない残りの種類の時系列の入出力データのうち、１種類以上の時系列の入出力データを時間軸を合わせて第２の画面上にグラフ表示する第２の画面処理部と、
前記データ記憶部に記憶されている多種類の時系列の入出力データのうち前記除外区間を除く区間の入出力データを前記データ採用区間の入出力データとするデータ採用部と
を備えることを特徴とするデータ採用区間指定装置。
【請求項４】
請求項３に記載されたデータ採用区間指定装置において、
前記第２の画面上にグラフ表示されている時系列の入出力データの前記除外区間内の任意の区間を部分取消区間として指定する部分取消区間指定部と、
前記第２の画面上にグラフ表示されている時系列の入出力データの前記部分取消区間として指定された区間について除外区間の指定を解除して元の態様での表示に戻すと同時に、前記第２の画面上にグラフ表示されていない残りの種類の時系列の入出力データの前記部分取消区間に対応する区間も除外区間の指定を解除し、その区間に対して元の態様での表示を適用させる除外区間内部分取消部と
を備えることを特徴とするデータ採用区間指定装置。
【発明の詳細な説明】
【技術分野】
【０００１】
この発明は、多種類の時系列の入出力データに対して有効なデータとして利用する区間をデータ採用区間として指定するデータ採用区間指定方法および装置に関するものである。
【背景技術】
【０００２】
従来より、プロセスの最適化制御を実現するコントローラとして、多変数モデル予測制御を採用したコントローラが知られている（例えば、特許文献１参照）。
【０００３】
多変数モデル予測制御では、多入出力の変数として得られる多種類の時系列の入出力データに基づいて、プロセスの最適化制御を実現するモデルを構築する。このモデルは多変数入出力予測モデルと呼ばれる。
【０００４】
多変数入出力予測モデルを構築（モデリング）する場合、モデリングに利用できる（あるいは利用すべき）データは、適切なものを選ぶ必要がある。
【０００５】
このため、従来においては、モデリングに利用できる（あるいは利用すべき）データを有効なデータとし、多種類の時系列の入出力データの中から区間を定めて有効なデータを選び出すようにしている。すなわち、多種類の時系列の入出力データに対してデータ採用区間を定め、その定めたデータ採用区間のデータをモデリングに利用する有効なデータとして選び出すようにしている。
【０００６】
この多種類の時系列の入出力データに対するデータ採用区間の指定はオペレータが手作業で行う。例えば、多種類の時系列の入出力データを時間軸を合わせて画面上に並べてグラフ表示するようにし、この画面上にグラフ表示されている時系列の入出力データの挙動に着目してデータの採用区間を指定する。
【０００７】
データ採用区間の指定は、有効なデータとして利用しない除外区間を指定することによっても行われる。すなわち、除外区間を指定すれば、残された区間がデータ採用区間となり、データ採用区間を指定したことになる。
【０００８】
なお、多種類の時系列の入出力データに対してデータ採用区間の指定を自動的に行うようにしたものもあるが（例えば、特許文献２参照）、データ採用区間を定めるための条件の設定が難しく、手間がかかるため、データ採用区間の指定は手作業で行われることが多い。
【先行技術文献】
【特許文献】
【０００９】
【特許文献１】特許第４６１４５３６号公報
【特許文献２】特開２００５−２８５００５号公報
【発明の概要】
【発明が解決しようとする課題】
【００１０】
しかしながら、多種類の時系列の入出力データに対してデータ採用区間を指定する作業は、状況によっては煩雑で選択ミスの生じ易い作業であり、改善が求められている。
【００１１】
例えば、時系列の入出力データの種類が多い場合、全種類の時系列の入出力データを１画面に表示すると煩雑となり、データの挙動が分かりづらくなる。このため、１画面で表示できる時系列の入出力データの数を制限し、多種類の時系列の入出力データを複数の画面に分けて表示する。
【００１２】
多種類の時系列の入出力データを複数の画面に分けて表示するようにした場合、複数の画面間で、データの挙動を見比べながら、適切なデータ採用区間を指定しなけれならず、作業が煩雑となり、選択ミスが生じ易くなる。
【００１３】
本発明は、このような課題を解決するためになされたもので、その目的とするところは、作業効率を改善すると共に、選択ミスをなくすことが可能なデータ採用区間指定方法および装置を提供することにある。
【課題を解決するための手段】
【００１４】
このような目的を達成するために本発明は、多種類の時系列の入出力データに対して有効なデータとして利用する区間をデータ採用区間として指定するデータ採用区間指定方法において、多種類の時系列の入出力データのうち１種類以上の時系列の入出力データを時間軸を合わせて第１の画面上にグラフ表示するステップと、第１の画面上にグラフ表示されている時系列の入出力データに対して、有効なデータとしては利用しない区間を除外区間として指定するステップと、第１の画面上にグラフ表示されている時系列の入出力データの除外区間として指定された区間を、他の区間とは異なった態様でかつその区間内のデータの挙動を認識可能に表示すると同時に、第１の画面上にグラフ表示されていない残りの種類の時系列の入出力データの除外区間に対応する区間も除外区間とし、その区間に対して第１の画面上にグラフ表示されている時系列の入出力データに対して指定された除外区間と同じ態様での表示を適用するステップと、第１の画面上にグラフ表示されていない残りの種類の時系列の入出力データのうち、１種類以上の時系列の入出力データを時間軸を合わせて第２の画面上にグラフ表示するステップと、多種類の時系列の入出力データのうち除外区間を除く区間の入出力データをデータ採用区間の入出力データとするステップとを備えることを特徴とする。
【００１５】
この発明では、多種類の時系列の入出力データのうち１種類以上の時系列の入出力データを時間軸を合わせて第１の画面上にグラフ表示する。例えば、多種類の時系列の入出力データを８種類、１種類以上の時系列の入出力データを４種類とした場合、８種類の時系列の入出力データのうち４種類の時系列の入出力データを時間軸を合わせて第１の画面上にグラフ表示する。そして、この第１の画面上にグラフ表示されている時系列の入出力データに対して、有効なデータして利用しない区間として除外区間を指定すると、この除外区間として指定された区間が他の区間とは異なった態様でかつその区間内のデータの挙動を認識可能に表示される。例えば、データの挙動が認識できる程度に、色や明るさを変えて表示される。また、これと同時に、第１の画面上にグラフ表示されていない残りの時系列の入出力データの除外区間に対応する区間も除外区間とされ、その区間に対して第１の画面上にグラフ表示されている時系列の入出力データに対して指定された除外区間と同じ態様での表示が適用される。
【００１６】
これにより、本発明では、第１の画面上にグラフ表示されていない残りの種類の時系列の入出力データのうち、１種類以上の時系列の入出力データを時間軸を合わせて第２の画面上にグラフ表示した場合、この第２の画面上に表示された時系列の入出力データの除外区間とされた区間が第１の画面で指定された除外区間と同じ態様で表示されるものとなる。例えば、多種類の時系列の入出力データを８種類、残りの種類の時系列の入出力データを４種類とし、残りの４種類全ての時系列の入出力データを第２の画面上にグラフ表示するものとした場合、この第２の画面上に表示された４種類の時系列の入出力データの除外区間とされた区間が他の区間とは異なった態様でかつその区間内のデータの挙動を認識可能に表示される。
【００１７】
ここで、第２の画面上に表示された時系列の入出力データの除外区間とされた区間のデータが重要な挙動を示していれば、他の画面との間でデータの挙動を見比べることなく、その区間を除外区間とすべきではないと直ちに判断することができる。逆に、第２の画面上に表示された時系列の入出力データの除外区間とされた区間のデータが重要な挙動を示していなければ、他の画面との間でデータの挙動を見比べることなく、その区間を除外区間としてもよいと直ちに判断することができる。
【００１８】
関連のある入出力変数であれば、ある特定の変数の特定区間を除外した場合、自動的に関連する変数の同じ区間は除外対象になる。したがって、関連性を利用して、自動的に同じ区間が除外対象として指定されることが望ましい。このとき、多入出力系の場合、１画面で表示できる変数の数は制限され、複数の画面に分けて表示される。仮に、ある特定の変数の特定区間を、ノイズの大きさなどを理由に、オペレータが感覚的に選んで除外したような場合、これに伴い、関連する変数では重要な挙動を示す区間が自動的に除外されてしまうこともあり得る。発明者は、このような実質的作業ミスが、作業効率を悪化させる要因となることに着眼した。そして、除外候補になっている区間の時系列の入出力データの挙動を認識することができる程度に、例えば色や明るさを変化させて表示を残すことにより、オペレータに除外対象としてもよいかどうかを判断させることに想到した。
【００１９】
本発明において、さらに、第２の画面上にグラフ表示されている時系列の入出力データの除外区間内の任意の区間を部分取消区間として指定するステップと、第２の画面上にグラフ表示されている時系列の入出力データの部分取消区間として指定された区間について除外区間の指定を解除して元の態様での表示に戻すと同時に、第２の画面上にグラフ表示されていない残りの種類の時系列の入出力データの部分取消区間に対応する区間も除外区間の指定を解除し、その区間に対して元の態様での表示を適用するステップとを備えるものとしてもよい。
【００２０】
除外区間として指定したが、後に除外区間としてはいけないことに気づいた場合、除外区間の指定を取り消す必要がある。この場合、除外区間の全てではなく、一部の区間だけを取り消したい場合がある。除外区間の一部の区間を取り消す場合、除外区間の全てを取り消して、その除外区間内の必要な区間だけを除外区間として指定することが考えられる。しかし、このようにすると、二度手間となる。これに対して、部分取消区間を指定するようにすれば、部分取消区間だけが除外区間の指定が取り消され、残りの区間が除外区間として残されるものとなり、除外区間の一部の区間を取り消す際の手間が省かれるものとなる。
【００２１】
また、本発明は、上述したデータ採用区間指定方法を適用した装置としても構成することが可能である。本願の請求項３，４の発明は、請求項１，２のデータ採用区間指定方法を装置としたものである。
【発明の効果】
【００２２】
本発明によれば、多種類の時系列の入出力データのうち１種類以上の時系列の入出力データを時間軸を合わせて第１の画面上にグラフ表示し、第１の画面上にグラフ表示されている時系列の入出力データに対して、有効なデータとしては利用しない区間を除外区間として指定し、第１の画面上にグラフ表示されている時系列の入出力データの除外区間として指定された区間を、他の区間とは異なった態様でかつその区間内のデータの挙動を認識可能に表示すると同時に、第１の画面上にグラフ表示されていない残りの種類の時系列の入出力データの除外区間に対応する区間も除外区間とし、その区間に対して第１の画面上にグラフ表示されている時系列の入出力データに対して指定された除外区間と同じ態様での表示を適用するものとしたので、第１の画面上にグラフ表示されていない残りの種類の時系列の入出力データのうち、１種類以上の時系列の入出力データを時間軸を合わせて第２の画面上にグラフ表示すると、この第２の画面上に表示された時系列の入出力データの除外区間とされた区間が第１の画面上にグラフ表示されていた時系列の入出力データに対して指定された除外区間と同じ態様で表示されるものとなり、この区間の時系列の入出力データの挙動からその区間を除外区間とすべきか否かを直ちに判断することができるようになり、複数の画面間でデータの挙動を見比べる必要がなくなり、作業効率を改善すると共に、選択ミスをなくすことが可能となる。
【図面の簡単な説明】
【００２３】
【図１】プラントにおけるタンク内の温度および圧力を制御するシステムの一例を示す図である。
【図２】このシステムにおいて取得された多種類の時系列の入出力データ（トレンドデータ）を例示する図である。
【図３】第１の画面に表示された時系列の入出力データを示す図である。
【図４】第１の画面において除外区間（１区間目）を指定している様子を示す図である。
【図５】第１の画面において除外区間（１区間目）を指定した後に第２の画面に残りの時系列の入出力データを表示させたところを示す図である。
【図６】除外区間（１区間目）の指定後に全種類の時系列の入出力データを１つの画面にグラフ表示させてみたところを示す図である。
【図７】第１の画面において除外区間（２区間目）を指定している様子を示す図である。
【図８】第１の画面において除外区間（２区間目）を指定した後に第２の画面に残りの時系列の入出力データを表示させたところを示す図である。
【図９】除外区間（２区間目）の指定後に全種類の時系列の入出力データを１つの画面にグラフ表示させてみたところを示す図である。
【図１０】第２の画面において２区間目の除外区間の指定を取り消している様子を示す図である。
【図１１】第２の画面において２区間目の除外区間の指定が取り消された状態を示す図である。
【図１２】第２の画面において全ての除外区間の指定を取り消した状態を示す図である。
【図１３】第２の画面において２区間目の除外区間の指定を取り消した後に部分的に必要な１つ目の区間を除外区間として指定している様子を示す図である。
【図１４】第２の画面において２区間目の除外区間の指定を取り消した後に部分的に必要な２つ目の区間を除外区間として指定している様子を示す図である。
【図１５】第２の画面において部分的に必要な２つの区間を除外区間として指定した後に第１の画面に残りの時系列の入出力データを表示させたところを示す図である。
【図１６】部分的に必要な２つの区間を除外区間として指定した後に全種類の時系列の入出力データを１つの画面にグラフ表示させてみたところを示す図である。
【図１７】実施の形態１のデータ採用区間指定装置の要部のブロック図である。
【図１８】第２の画面において２区間目の除外区間の指定を部分的に取り消している様子を示す図である。
【図１９】第２の画面において２区間目の除外区間の指定が部分的に取り消された状態を示す図である。
【図２０】実施の形態２のデータ採用区間指定装置の要部のブロック図である。
【発明を実施するための形態】
【００２４】
以下、本発明の実施の形態を図面に基づいて詳細に説明する。
【００２５】
図１はプラントにおけるタンク内の温度および圧力を制御するシステムの一例を示す図である。同図において、１０１，１０２はタンク、１０３，１０４はヒータ、１０５，１０６はバルブ、１０７，１０８は温度計（ＴＩＣ）、１０９，１１０は圧力計（ＰＩＣ）、１１１はコントローラである。
【００２６】
このシステムにおいて、バルブ１０５はタンク１０１からタンク１０２への流体の流出路に設けられており、バルブ１０６はタンク１０２からの流体の流出路に設けられている。また、ヒータ１０３，１０４はタンク１０１，１０２内に設けられており、温度計１０７はタンク１０１内の流体の温度をＰＶＡとして計測し、温度計１０８はタンク１０２内の流体の温度をＰＶＣとして計測する。圧力計１０９はタンク１０１内の流体の圧力をＰＶＢとして計測し、圧力計１１０はタンク１０２内の流体の圧力をＰＶＤとして計測する。
【００２７】
コントローラ１１１は、温度計１０７，１０８からの計測温度ＰＶＡ，ＰＶＣおよび圧力計１０９，１１０からの計測圧力ＰＶＢ，ＰＶＤを入力とし、計測温度ＰＶＡ，ＰＶＣが設定温度ＳＰＡ，ＳＰＣとなるように、計測圧力ＰＶＢ，ＰＶＤが設定圧力ＳＰＢ，ＳＰＤとなるように、バルブ１０５，１０６の開度やヒータ１０３，１０４への供給電力を制御する。
【００２８】
このようなシステムにおいて、コントローラ１１１は、多変数モデル予測制御のモデルとして構築される多変数入出力予測モデルに基づいて最適化制御を行う。この多変数入出力予測モデルの構築（モデリング）に際しては、設定温度ＳＰＡ，ＳＰＣおよび設定圧力ＳＰＢ，ＳＰＤを入力変数として、計測温度ＰＶＡ，ＰＶＣおよび計測圧力ＰＶＢ，ＰＶＤを出力変数として用いる。
【００２９】
すなわち、設定温度ＳＰＡ，ＳＰＣ、設定圧力ＳＰＢ，ＳＰＤ、計測温度ＰＶＡ，ＰＶＣ，計測圧力ＰＶＢ，ＰＶＤを多種類の時系列の入出力データとして取得し、この取得した多種類の時系列の入出力データＳＰＡ，ＳＰＢ，ＳＰＣ，ＳＰＤ，ＰＶＡ，ＰＶＢ，ＰＶＣ，ＰＶＤに基づいて、コントローラ１１１に採用する多変数入出力予測モデルを構築する。
【００３０】
ここで、モデリングに利用できる（あるいは利用すべき）データは、適切なものを選ぶ必要がある。このため、取得された多種類の時系列の入出力データ、この例ではＳＰＡ，ＳＰＢ，ＳＰＣ，ＳＰＤ，ＰＶＡ，ＰＶＢ，ＰＶＣ，ＰＶＤに対してデータ採用区間を定め、その定めたデータ採用区間のデータを有効なデータとして選び出す。
【００３１】
図２に図１に示したシステムにおいて取得された時系列の入出力データＳＰＡ，ＳＰＢ，ＳＰＣ，ＳＰＤ，ＰＶＡ，ＰＶＢ，ＰＶＣ，ＰＶＤ（トレンドデータ）を例示する。以下、この多種類の時系列の入出力データＳＰＡ，ＳＰＢ，ＳＰＣ，ＳＰＤ，ＰＶＡ，ＰＶＢ，ＰＶＣ，ＰＶＤから有効なデータを選び出す手法について、具体的に説明する。なお、この時系列の入出力データＳＰＡ，ＳＰＢ，ＳＰＣ，ＳＰＤ，ＰＶＡ，ＰＶＢ，ＰＶＣ，ＰＶＤは元データとしてメモリに記憶されているものとする。
【００３２】
〔実施の形態１〕
メモリに記憶されている元データを１つの画面に表示すると煩雑となる。図２に示した例では、それほど煩雑ではないが、入出力の変数が多くなると、縦方向の間隔が狭まり、波形が入り乱れて、データの挙動が分かりづらくなる。このため、元データを複数の画面に分けて表示する。この例では、説明を簡単とするために、元データを２つの画面に分けて表示することにしている。
【００３３】
図３に第１の画面Ｇ１を示す。この例では、メモリに記憶されている元データ（８種類の時系列の入出力データ）のうち、４種類の時系列の入出力データＳＰＡ，ＳＰＢ，ＰＶＡ，ＰＶＢを時間軸を合わせて第１の画面Ｇ１上に並べてグラフ表示している。なお、第１の画面Ｇ１には、除外区間指定ボタンＢＴ１と、除外区間取消ボタンＢＴ２と、除外区間全取消ボタンＢＴ３が表示される。
【００３４】
〔除外区間の指定：１区間目〕
オペレータは、この第１の画面Ｇ１に表示されている時系列の入出力データＳＰＡ，ＳＰＢ，ＰＶＡ，ＰＶＢに対して、データの挙動に着目して、有効なデータとして利用しない区間を除外区間として指定する。この例では、「７／１  １４：３０〜７／１  １７：３０」のデータについて、モデリングに不要な区間のデータであると思われるので、除外区間として指定する。
【００３５】
具体的には、図４に示すように、除外区間指定ボタンＢＴ１を押下し、除外区間の開始ポイントＳＴと終了ポイントＥＮＤを指定する。除外区間指定ボタンＢＴ１の押下、除外区間の開始ポイントＳＴおよび終了ポイントＥＮＤの指定は、ポインタＰＴを画面上で動かし、クリックすることによって行う。なお、除外区間の開始ポイントＳＴおよび終了ポイントＥＮＤの指定は、入力窓を表示するようにし、時刻を入力するなどして行うようにしてもよい。
【００３６】
除外区間の開始ポイントＳＴと終了ポイントＥＮＤを指定すると、第１の画面Ｇ１上にグラフ表示されている時系列の入出力データＳＰＡ，ＳＰＢ，ＰＶＡ，ＰＶＢの除外区間として指定された区間Ｘ１が、他の区間とは異なった態様でかつその区間内のデータの挙動を認識可能に表示される。この例では、除外区間として指定された区間Ｘ１が、その区間Ｘ１内のデータの挙動が認識できる程度に、色や明るさを変えて表示される。
【００３７】
また、これと同時に、第１の画面Ｇ１上にグラフ表示されていない残りの時系列の入出力データＳＰＣ，ＳＰＤ，ＰＶＣ，ＰＶＤの除外区間Ｘ１に対応する区間も除外区間とされ、その区間に対して第１の画面Ｇ１上にグラフ表示されている時系列の入出力データＳＰＡ，ＳＰＢ，ＰＶＡ，ＰＶＢに対して指定された除外区間Ｘ１と同じ態様での表示が適用される。
【００３８】
次に、オペレータは、第１の画面Ｇ１上にグラフ表示されていない残りの時系列の入出力データＳＰＣ，ＳＰＤ，ＰＶＣ，ＰＶＤを第２の画面Ｇ２上にグラフ表示させる（図５参照）。
【００３９】
この場合、第２の画面Ｇ２上には時系列の入出力データＳＰＣ，ＳＰＤ，ＰＶＣ，ＰＶＤが時間軸を合わせて並べて表示されると共に、この時系列の入出力データＳＰＣ，ＳＰＤ，ＰＶＣ，ＰＶＤの除外区間とされた区間Ｘ１が第１の画面Ｇ１で指定された除外区間Ｘ１と同じ態様で表示される。すなわち、第１の画面Ｇ１で指定された除外区間Ｘ１と同様に、除外区間とされた区間Ｘ１が、その区間Ｘ１内のデータの挙動が認識できる程度に、色や明るさを変えて表示される。
【００４０】
ここで、オペレータは、第２の画面Ｇ２上に表示された時系列の入出力データＳＰＣ，ＳＰＤ，ＰＶＣ，ＰＶＤの除外区間とされた区間Ｘ１のデータの挙動を見て、その区間Ｘ１をそのまま除外区間としてもよいか否かを判断する。
【００４１】
この場合、オペレータは、第２の画面Ｇ２上に表示された時系列の入出力データＳＰＣ，ＳＰＤ，ＰＶＣ，ＰＶＤの除外区間とされた区間Ｘ１のデータが重要な挙動を示していれば、第１の画面Ｇ１との間でデータの挙動を見比べることなく、その区間Ｘ１を除外区間とすべきではないと直ちに判断することができる。
【００４２】
逆に、第２の画面Ｇ２上に表示された時系列の入出力データ入出力データＳＰＣ，ＳＰＤ，ＰＶＣ，ＰＶＤの除外区間とされた区間Ｘ１のデータが重要な挙動を示していなければ、第１の画面Ｇ１との間でデータの挙動を見比べることなく、その区間Ｘ１を除外区間としてもよいと直ちに判断することができる。
【００４３】
この例において、オペレータは、区間Ｘ１のデータが重要な挙動を示していないので、その区間Ｘ１を除外区間としてもよいと判断する。すなわち、画面Ｇ１，Ｇ２間でデータの挙動を見比べることなく、直ちに区間Ｘ１を除外区間としてもよいと判断する。この第２の画面Ｇ２において、区間Ｘ１を除外区間としてもよいと判断すれば、オペレータは除外区間Ｘ１の指定を終了する。
【００４４】
図６に、参考として、除外区間Ｘ１の指定後、全種類の時系列の入出力データＳＰＡ，ＳＰＢ，ＳＰＣ，ＳＰＤ，ＰＶＡ，ＰＶＢ，ＰＶＣ，ＰＶＤを１つの画面（第３の画面Ｇ３）にグラフ表示させてみたところを示す。除外区間Ｘ１はどの変数に対してもモデリングに重要でない区間であることが分かる。
【００４５】
〔除外区間の指定：２区間目〕
図４に示した第１の画面Ｇ１において、「７／２  ２：００〜７／２  １３：００」の区間のデータもモデリングに不要な区間のデータであると思われる。このため、オペレータは、１区間目と同様にして、第１の画面Ｇ１に表示されている時系列の入出力データＳＰＡ，ＳＰＢ，ＰＶＡ，ＰＶＢに対して、除外区間Ｘ２を指定する（図７参照）。
【００４６】
すると、１区間目と同様にして、第１の画面Ｇ１上にグラフ表示されている時系列の入出力データＳＰＡ，ＳＰＢ，ＰＶＡ，ＰＶＢの除外区間として指定された区間Ｘ２が他の区間とは異なった態様でかつその区間内のデータの挙動を認識可能に表示される。すなわち、１区間目と同様にして、除外区間とされた区間Ｘ２が、その区間Ｘ２内のデータの挙動が認識できる程度に、色や明るさを変えて表示される。
【００４７】
また、これと同時に、第１の画面Ｇ１上にグラフ表示されていない残りの時系列の入出力データＳＰＣ，ＳＰＤ，ＰＶＣ，ＰＶＤの除外区間Ｘ２に対応する区間も除外区間とされ、その区間に対して第１の画面Ｇ１上にグラフ表示されている時系列の入出力データＳＰＡ，ＳＰＢ，ＰＶＡ，ＰＶＢに対して指定された除外区間Ｘ２と同じ態様での表示が適用される。
【００４８】
次に、オペレータは、第１の画面Ｇ１上にグラフ表示されていない残りの時系列の入出力データＳＰＣ，ＳＰＤ，ＰＶＣ，ＰＶＤを第２の画面Ｇ２上にグラフ表示させる（図８参照）。
【００４９】
この場合、第２の画面Ｇ２上には時系列の入出力データＳＰＣ，ＳＰＤ，ＰＶＣ，ＰＶＤが時間軸を合わせて並べて表示されると共に、この時系列の入出力データＳＰＣ，ＳＰＤ，ＰＶＣ，ＰＶＤの除外区間とされた区間Ｘ２が第１の画面Ｇ１で指定された除外区間Ｘ２と同じ態様で表示されるものとなる。すなわち、第１の画面Ｇ１で指定された除外区間Ｘ２と同様に、除外区間とされた区間Ｘ２が、その区間Ｘ２内のデータの挙動が認識できる程度に、色や明るさを変えて表示される。
【００５０】
ここで、オペレータは、第２の画面Ｇ２上に表示された時系列の入出力データＳＰＣ，ＳＰＤ，ＰＶＣ，ＰＶＤの除外区間とされた区間Ｘ２のデータの挙動を見て、その区間Ｘ２をそのまま除外区間としてもよいか否かを判断する。
【００５１】
この場合、オペレータは、第２の画面Ｇ２上に表示された時系列の入出力データＳＰＣ，ＳＰＤ，ＰＶＣ，ＰＶＤの除外区間とされた区間Ｘ２のデータが重要な挙動を示していれば、第１の画面Ｇ１との間でデータの挙動を見比べることなく、その区間Ｘ２を除外区間とすべきではないと直ちに判断することができる。
【００５２】
逆に、第２の画面Ｇ２上に表示された時系列の入出力データ入出力データＳＰＣ，ＳＰＤ，ＰＶＣ，ＰＶＤの除外区間とされた区間Ｘ２のデータが重要な挙動を示していなければ、第１の画面Ｇ１との間でデータの挙動を見比べることなく、その区間Ｘ２を除外区間としてもよいと直ちに判断することができる。
【００５３】
この例において、オペレータは、区間Ｘ２のデータが重要な挙動を示しているので、その区間Ｘ２を除外区間とすべきではないと判断する。すなわち、画面Ｇ１，Ｇ２間でデータの挙動を見比べることなく、直ちに区間Ｘ２を除外区間とすべきではないと判断する。この第２の画面Ｇ２において、区間Ｘ２を除外区間とすべきはないと判断すれば、オペレータは除外区間Ｘ２の指定を取り消す。
【００５４】
図９に、参考として、除外区間Ｘ２の指定後、全種類の時系列の入出力データＳＰＡ，ＳＰＢ，ＳＰＣ，ＳＰＤ，ＰＶＡ，ＰＶＢ，ＰＶＣ，ＰＶＤを１つの画面（第３の画面Ｇ３）上にグラフ表示させてみたところを示す。除外区間Ｘ２はＳＰＣとＰＶＤに関してはモデリングに重要な区間であることが分かる。
【００５５】
〔除外区間の指定の取り消し〕
オペレータは、区間Ｘ２を除外区間とすべきはないと判断した場合、除外区間Ｘ２の指定を取り消す。この場合、オペレータは、第２の画面Ｇ２において、除外区間取消ボタンＢＴ２を押下し、除外区間Ｘ２を指定する（図１０参照）。
【００５６】
除外区間取消ボタンＢＴ２の押下、除外区間Ｘ２の指定は、ポインタＰＴを画面上で動かし、クリックすることによって行う。なお、除外区間Ｘ２の指定は、入力窓を表示するようにし、時刻範囲を入力するなどして行うようにしてもよい。
【００５７】
除外区間Ｘ２を指定すると、第２の画面Ｇ２上にグラフ表示されている時系列の入出力データＳＰＣ，ＳＰＤ，ＰＶＣ，ＰＶＤの除外区間とされた区間Ｘ２について除外区間の指定が解除され、元の態様での表示に戻る（図１１参照）。
【００５８】
また、これと同時に、第２の画面Ｇ２上にグラフ表示されていない残りの種類の時系列の入出力データＳＰＡ，ＳＰＢ，ＰＶＡ，ＰＶＢの区間Ｘ２に対応する区間も除外区間Ｘ２の指定が解除され、その区間に対して元の態様での表示が適用される。これにより、第１の画面Ｇ１での表示は、除外区間Ｘ２を指定する前の状態に戻る（図５参照）。
【００５９】
なお、区間Ｘ１，Ｘ２どちらも除外区間の指定を取り消す場合には、除外区間全取消ボタンＢＴ３を押下する。除外区間全取消ボタンＢＴ３を押下すると、第２の画面Ｇ２上にグラフ表示されている時系列の入出力データＳＰＣ，ＳＰＤ，ＰＶＣ，ＰＶＤの除外区間とされた区間Ｘ１，Ｘ２について除外区間の指定が解除され、元の態様での表示に戻る（図１２参照）。
【００６０】
また、これと同時に、第２の画面Ｇ２上にグラフ表示されていない残りの種類の時系列の入出力データＳＰＡ，ＳＰＢ，ＰＶＡ，ＰＶＢの区間Ｘ１，Ｘ２に対応する区間も除外区間Ｘ１，Ｘ２の指定が解除され、その区間に対して元の態様での表示が適用される。これにより、第１の画面Ｇ１での表示は、除外区間Ｘ１，Ｘ２を指定する前の状態に戻る（図３参照）。
【００６１】
〔除外区間の一部の区間の指定の取り消し〕
オペレータは、区間Ｘ２の一部の区間の指定を取り消したい場合、上述と同様にして、先ず除外区間Ｘ２の指定を取り消す（図１０，図１１参照）。ここでは、区間Ｘ２の一部の区間として、「７／２  ４：００〜７／２  １１：００」までの区間について、除外区間の指定を取り消したいものとする。
【００６２】
この場合、図１３に示すように、第２の画面Ｇ２において、除外区間指定ボタンＢＴ１を押下し、「７／２  ２：００〜７／２  ４：００」を部分的に必要な１つ目の除外区間Ｘ２として指定する。また、図１４に示すように、除外区間指定ボタンＢＴ１を押下し、「７／２  １１：００〜７／２  １３：００」を部分的に必要な２つめの除外区間Ｘ３として指定する。
【００６３】
すると、第２の画面Ｇ２上にグラフ表示されている時系列の入出力データＳＰＣ，ＳＰＤ，ＰＶＣ，ＰＶＤの除外区間とされた区間Ｘ２，Ｘ３が、その区間Ｘ２，Ｘ３内のデータの挙動が認識できる程度に、色や明るさを変えて表示される。
【００６４】
また、これと同時に、第２の画面Ｇ２上にグラフ表示されていない残りの時系列の入出力データＳＰＡ，ＳＰＢ，ＰＶＡ，ＰＶＢの除外区間Ｘ２，Ｘ３に対応する区間も除外区間とされ、その区間に対して第２の画面Ｇ２上にグラフ表示されている時系列の入出力データＳＰＣ，ＳＰＤ，ＰＶＣ，ＰＶＤに対して指定された除外区間Ｘ２，Ｘ３と同じ態様での表示が適用される。
【００６５】
図１５に、第２の画面Ｇ２において部分的に必要な２つの区間Ｘ１，Ｘ２を除外区間として指定した後に、第２の画面Ｇ２上にグラフ表示されていない残りの時系列の入出力データＳＰＡ，ＳＰＢ，ＰＶＡ，ＰＶＢを第１の画面Ｇ１に表示させたところを示す。
【００６６】
また、図１６に、除外区間Ｘ２，Ｘ３の指定後、全種類の時系列の入出力データＳＰＡ，ＳＰＢ，ＳＰＣ，ＳＰＤ，ＰＶＡ，ＰＶＢ，ＰＶＣ，ＰＶＤを１つの画面（第３の画面Ｇ３）にグラフ表示させてみたところを示す。除去区間Ｘ１，Ｘ２，Ｘ３はどの変数に対してもモデリングに重要でない区間であることが分かる。
【００６７】
この実施の形態１の手法を実現するための要部のブロック図を図１７に示す。同図において、１はデータ記憶部、２は表示処理部、３は表示部、４は除外区間指定部、５は除外区間表示態様適用部、６は除外区間記憶部、７はデータ採用部であり、これらによって実施の形態１のデータ採用区間指定装置２００が構成されている。このデータ採用区間指定装置２００は、プロセッサや記憶装置からなるハードウェアと、これらのハードウェアと協働して各種機能を実現させるプログラムとによって実現される。
【００６８】
データ記憶部１には、元データとして、多種類の時系列の入出力データＳＰＡ，ＳＰＢ，ＳＰＣ，ＳＰＤ，ＰＶＡ，ＰＶＢ，ＰＶＣ，ＰＶＤが記憶されている。表示処理部２は第１の画面処理部２−１と第２の画面処理部２−２とを備えている。表示部３には第１の画面Ｇ１と第２の画面Ｇ２とが選択可能に表示される。
【００６９】
表示処理部２において、第１の画面処理部２−１は、データ記憶部１に記憶されている多種類の時系列の入出力データＳＰＡ，ＳＰＢ，ＳＰＣ，ＳＰＤ，ＰＶＡ，ＰＶＢ，ＰＶＣ，ＰＶＤのうち４種類の時系列の入出力データＳＰＡ，ＳＰＢ，ＰＶＡ，ＰＶＢを取得し、時間軸を合わせて第１の画面Ｇ１上に並べてグラフ表示する。
【００７０】
第２の画面処理部２−２は、データ記憶部１に記憶されている多種類の時系列の入出力データＳＰＡ，ＳＰＢ，ＳＰＣ，ＳＰＤ，ＰＶＡ，ＰＶＢ，ＰＶＣ，ＰＶＤのうち残りの４種類の時系列の入出力データＳＰＣ，ＳＰＤ，ＰＶＣ，ＰＶＤを取得し、時間軸を合わせて第２の画面Ｇ２上に並べてグラフ表示する。
【００７１】
除外区間指定部４は、オペレータからの指示に従い、第１の画面Ｇ１上にグラフ表示されている時系列の入出力データＳＰＡ，ＳＰＢ，ＰＶＡ，ＰＶＢに対して、有効なデータとしては利用しない区間を除外区間として指定する。
【００７２】
除外区間表示態様適用部５は、第１の画面処理部２−１へ指示を送り、第１の画面Ｇ１上にグラフ表示されている時系列の入出力データＳＰＡ，ＳＰＢ，ＰＶＡ，ＰＶＢの除外区間として指定された区間を、他の区間とは異なった態様でかつその区間内のデータの挙動を認識可能に表示させる。
【００７３】
また、除外区間表示態様適用部５は、第２の画面処理部２−２へ指示を送り、第１の画面Ｇ１上にグラフ表示されていない残りの種類の時系列の入出力データＳＰＣ，ＳＰＤ，ＰＶＣ，ＰＶＤの除外区間に対応する区間も除外区間として、第１の画面Ｇ１上にグラフ表示されている時系列の入出力データＳＰＡ，ＳＰＢ，ＰＶＡ，ＰＶＢに対して指定された除外区間と同じ態様での表示を適用させる。
【００７４】
除外区間記憶部６は、除外区間指定部４によって指定された除外区間、すなわち第１の画面Ｇ１上にグラフ表示されている時系列の入出力データＳＰＡ，ＳＰＢ，ＰＶＡ，ＰＶＢに対して指定された除外区間を記憶する。
【００７５】
データ採用部７は、データ記憶部１に記憶されている多種類の時系列の入出力データＳＰＡ，ＳＰＢ，ＳＰＣ，ＳＰＤ，ＰＶＡ，ＰＶＢ，ＰＶＣ，ＰＶＤのうち、除外区間記憶部６に記憶されている除外区間を除く区間の入出力データをデータ採用区間の入出力データ（有効なデータ）とする。
【００７６】
なお、図１７に示したブロック図では、本発明に係る主要な機能のみを取り上げ、除外区間取消ボタンＢＴ２や除外区間全取消ボタンＢＴ３を押下することによって実現される機能などについては省略している。
【００７７】
〔実施の形態２〕
実施の形態１では、除外区間の一部の区間を取り消す場合、除外区間の全てを取り消して、その除外区間内の必要な一部の区間だけを除外区間として指定している。しかし、このようにすると、二度手間となる。
【００７８】
そこで、実施の形態２では、除外区間内の任意の区間を部分取消区間として指定するようにし、この指定された部分取消区間だけ除外区間の指定を取り消して、残りの区間を除外区間として残すようにする。これにより、除外区間の一部の区間を取り消す際の手間が省かれるものとなる。
【００７９】
具体的には、図１８に示すように、部分取消ボタンＢＴ４を設け、第２の画面Ｇ２において、この部分取消ボタンＢＴ４を押下し、部分取消区間の開始ポイントＳＴと終了ポイントＥＮＤを指定するようにする。
【００８０】
部分取消ボタンＢＴ３の押下、部分取消区間の開始ポイントＳＴおよび終了ポイントＥＮＤの指定は、ポインタＰＴを画面上で動かし、クリックすることによって行う。なお、部分取消区間の開始ポイントＳＴおよび終了ポイントＥＮＤの指定も、入力窓を表示するようにし、時刻を入力するなどして行うようにしてもよい。
【００８１】
部分取消区間の開始ポイントＳＴおよび終了ポイントＥＮＤを指定すると、第２の画面Ｇ２上にグラフ表示されている時系列の入出力データＳＰＣ，ＳＰＤ，ＰＶＣ，ＰＶＤの部分取消区間として指定された区間Ｙ１について除外区間の指定が解除されて元の態様での表示に戻る（図１９参照）。
【００８２】
また、これと同時に、第２の画面Ｇ２上にグラフ表示されていない残りの種類の時系列の入出力データＳＰＡ，ＳＰＢ，ＰＶＡ，ＰＶＢの部分取消区間Ｙ１に対応する区間も除外区間の指定が解除され、その区間に対して元の態様での表示が適用される（図１５参照）。
【００８３】
これにより、図１８に示された除外区間Ｘ２のうち部分取消区間Ｙ１だけが除外区間の指定が取り消され、図１９に示されるように残りの区間が除外区間Ｘ２，Ｘ３として残されるものとなり、除外区間の一部の区間を取り消す際の手間が省かれるものとなる。
【００８４】
この実施の形態２の手法を実現するための要部のブロック図を図２０に示す。同図において、図１７と同一符号は図１７を参照して説明した構成要素と同一或いは同等の構成要素を示し、その説明は省略する。
【００８５】
実施の形態２のデータ採用区間指定装置２０１は、図１７に示した構成に加え、部分取消区間指定部８と除外区間内部分取消部９とを備えている。
【００８６】
部分取消区間指定部８は、オペレータからの指示に従い、第２の画面Ｇ２上にグラフ表示されている時系列の入出力データＳＰＣ，ＳＰＤ，ＰＶＣ，ＰＶＤの除外区間内の任意の区間を部分取消区間として指定する。
【００８７】
除外区間内部分取消部９は、第２の画面処理部２−２へ指示を送り、第２の画面Ｇ２上にグラフ表示されている時系列の入出力データＳＰＣ，ＳＰＤ，ＰＶＣ，ＰＶＤの部分取消区間として指定された区間について除外区間の指定を解除して元の態様での表示に戻す。
【００８８】
また、除外区間内部分取消部９は、第１の画面処理部２−１へ指示を送り、第２の画面Ｇ２上にグラフ表示されていない残りの種類の時系列の入出力データＳＰＡ，ＳＰＢ，ＰＶＡ，ＰＶＢの部分取消区間に対応する区間も除外区間の指定を解除して、元の態様での表示を適用させる。
【００８９】
また、除外区間内部分取消部９は、除外区間の指定を解除した区間、すなわち部分取消区間として指定された区間を除外区間記憶部６へ送り、除外区間としての記憶を抹消する。
【００９０】
なお、図２０に示したブロック図においても、本発明に係る主要な機能のみを取り上げ、除外区間取消ボタンＢＴ２や除外区間全取消ボタンＢＴ３を押下することによって実現される機能などについては省略している。
【００９１】
また、上述した実施の形態では、第１の画面Ｇ１を最初に表示させて除外区間を指定するようにしたが、第２の画面Ｇ２を最初に表示させて除外区間を指定するようにしてもよい。この場合、第２の画面Ｇ２が本発明でいう第１の画面となり、第１の画面Ｇ１が本発明でいう第２の画面となる。
【００９２】
また、上述した実施の形態では、第１の画面Ｇ１と第２の画面Ｇ２との２画面に多種類の時系列の入出力データを分けてグラフ表示させるようにしたが、さらに複数の画面に分けて多種類の時系列の入出力データをグラフ表示させるようにしてもよく、多種類の時系列の入出力データも８種類に限られるものではないことは言うまでもない。
【００９３】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００９４】
１…データ記憶部、２…表示処理部、２−１…第１の画面処理部、２−２…第２の画面処理部、３…表示部、４…除外区間指定部、５…除外区間表示態様適用部、６…除外区間記憶部、７…データ採用部、８…部分取消区間指定部、９…除外区間内部分取消部、Ｇ１…第１の画面、Ｇ２…第２の画面、２００，２０１…データ採用区間指定装置。
【図１】
2016152005.tif 000003
【図２】
2016152005.tif 000004
【図３】
2016152005.tif 000005
【図４】
2016152005.tif 000006
【図５】
2016152005.tif 000007
【図６】
2016152005.tif 000008
【図７】
2016152005.tif 000009
【図８】
2016152005.tif 000010
【図９】
2016152005.tif 000011
【図１０】
2016152005.tif 000012
【図１１】
2016152005.tif 000013
【図１２】
2016152005.tif 000014
【図１３】
2016152005.tif 000015
【図１４】
2016152005.tif 000016
【図１５】
2016152005.tif 000017
【図１６】
2016152005.tif 000018
【図１７】
2016152005.tif 000019
【図１８】
2016152005.tif 000020
【図１９】
2016152005.tif 000021
【図２０】
2016152005.tif 000022